(57)【要約】【課題】装置自体を薄型化できる照明装置を提供する。【解決手段】底部２０を有すると共に該底部２０とは反対側が開口した箱状のハウジング１２と、ハウジング１２内に配置された平面型放電管１４と、ハウジング１２内でかつ平面型放電管１４を基準としてハウジング１２の厚さ方向ｔと直交する方向側に配置され平面型放電管１４に対して電線を介して接続された回路ユニット１６と、ハウジング１２の開口を塞ぐようにかつ透光性を有するグローブ１３と、ハウジング１２の内底面２０ａに設けられた透孔に対して取り付け可能に構成されると共に該透孔に取り付けることにより該透孔と共同して平面型放電管１４の一端側を支持する押さえ具１５と、ハウジング１２の内底面２０ａに設けられかつ平面型放電管１４における一端側とは反対の端側を係止する係止部５１とを備えた。【選択図】      図８
2006114391.tif 000002
【特許請求の範囲】
【請求項１】
底部を有すると共に該底部とは反対側が開口した箱状のハウジングと、
前記ハウジング内に配置された板型発光体と、
前記ハウジング内でかつ前記板型発光体を基準として前記ハウジングの厚さ方向と直交する方向側に配置され該板型発光体に対して電線を介して接続された回路ユニットと、
前記ハウジングの開口を塞ぐようにかつ透光性を有するグローブと、
前記ハウジングの内面に設けられた係合部に対して取り付け可能に構成されると共に該係合部に取り付けることにより該係合部と共同して前記板型発光体の一端側を支持する押さえ具と、
前記ハウジングの前記内面に設けられかつ前記板型発光体における一端側とは反対の端側を係止する係止部とを備えたことを特徴とする照明装置。
【請求項２】
前記ハウジングの前記底部における前記板型発光体に対応する部分には貫通孔を設けたことを特徴とする請求項１に記載の照明装置。
【請求項３】
前記底部における前記貫通孔の周縁にはリブを設けたことを特徴とする請求項２に記載の照明装置。
【請求項４】
底部を有すると共に該底部とは反対側が開口した箱状のハウジングと、
前記ハウジング内に配置される板型発光体と、
前記ハウジング内でかつ前記板型発光体を基準として前記ハウジングの厚さ方向と直交する方向側に配置され該板型発光体への電力供給制御を行う回路ユニットと、
前記ハウジングの開口を塞ぐようにかつ透光性を有するグローブとを備え、
前記回路ユニットは、挿通孔を備えた回路基板と、電子部品とを備え、
前記回路基板の前記挿通孔には、前記電子部品が配置されていることを特徴とする照明装置。
【請求項５】
前記グローブは、底部を有しており、
前記電子部品の厚さ方向の長さは、前記厚さ方向における前記グローブの前記底部から前記ハウジングの前記底部までの間隔長さ以下で、かつ前記厚さ方向における前記グローブの前記底部から前記回路基板までの間隔長さよりも長くなるように構成したことを特徴とする請求項４に記載の照明装置。
【請求項６】
前記ハウジングの前記底部における前記電子部品に対応する部分には凹部を形成し、該凹部に前記電子部品を載置したことを特徴とする請求項４又は請求項５に記載の照明装置。
【請求項７】
前記ハウジングの内面に設けられた係合部に対して取り付けられた押さえ具を備え、
前記押さえ具は、前記電子部品が前記グローブ側へ移動することを抑制するように該電子部品に当接されていることを特徴とする請求項４乃至請求項６のうちいずれか１項に記載の照明装置。
【発明の詳細な説明】
【技術分野】
【０００１】
本発明は、例えば車両用照明装置、家庭用照明装置、照明看板等の照明装置に関するものである。
【背景技術】
【０００２】
従来、円柱状の蛍光管を用いて照明を行う照明装置が知られている。この照明装置は、例えば車両内の天井に備え付けられ、車両のドアが開いた場合や、ユーザがスイッチをオン操作した場合に蛍光管が点灯するようになっている。この照明装置は、ケースと、ケース内に固定されたソケットと、そのソケットに取り付けられる前記蛍光管と、ケース内に収容され蛍光管への電力供給を制御する回路ユニットとを備えている。回路ユニットは、回路基板と、その回路基板の表面に搭載された電子部品とを備えている。
【発明の開示】
【発明が解決しようとする課題】
【０００３】
ところが、上記の照明装置では、円柱状の蛍光管及びソケットは高さがあるため、その蛍光管及びソケットを収容するケースの厚み（高さ）をその分厚く形成しなければならず、この結果、照明装置の厚みが厚くなってしまうという問題があった。また、回路基板の表面に搭載した電子部品の厚みが厚いと、その回路ユニットを収容するケースの厚みをその分厚く形成しなければならず、この結果、照明装置の厚みが厚くなってしまうという問題があった。特に車両では、室内空間を少しでも広くすることが強く望まれているため、照明装置の薄型化が強く望まれている。
【０００４】
本発明は、前述した事情に鑑みてなされたものであって、その目的は装置自体を薄型化できる照明装置を提供することにある。
【課題を解決するための手段】
【０００５】
上記目的を達成するために、請求項１に記載の発明は、底部を有すると共に該底部とは反対側が開口した箱状のハウジングと、前記ハウジング内に配置された板型発光体と、前記ハウジング内でかつ前記板型発光体を基準として前記ハウジングの厚さ方向と直交する方向側に配置され該板型発光体に対して電線を介して接続された回路ユニットと、前記ハウジングの開口を塞ぐようにかつ透光性を有するグローブと、前記ハウジングの内面に設けられた係合部に対して取り付け可能に構成されると共に該係合部に取り付けることにより該係合部と共同して前記板型発光体の一端側を支持する押さえ具と、前記ハウジングの前記内面に設けられかつ前記板型発光体における一端側とは反対の端側を係止する係止部とを備えた。
【０００６】
請求項２に記載の発明は、請求項１に記載の発明において、前記ハウジングの前記底部における前記板型発光体に対応する部分には貫通孔を設けた。
請求項３に記載の発明は、請求項２に記載の発明において、前記底部における前記貫通孔の周縁にはリブを設けた。
【０００７】
請求項４に記載の発明は、底部を有すると共に該底部とは反対側が開口した箱状のハウジングと、前記ハウジング内に配置される板型発光体と、前記ハウジング内でかつ前記板型発光体を基準として前記ハウジングの厚さ方向と直交する方向側に配置され該板型発光体への電力供給制御を行う回路ユニットと、前記ハウジングの開口を塞ぐようにかつ透光性を有するグローブとを備え、前記回路ユニットは、挿通孔を備えた回路基板と、電子部品とを備え、前記回路基板の前記挿通孔には、前記電子部品が配置されている。
【０００８】
請求項５に記載の発明は、請求項４に記載の発明において、前記グローブは、底部を有しており、前記電子部品の厚さ方向の長さは、前記厚さ方向における前記グローブの前記底部から前記ハウジングの前記底部までの間隔長さ以下で、かつ前記厚さ方向における前記グローブの前記底部から前記回路基板までの間隔長さよりも長くなるように構成した。
【０００９】
請求項６に記載の発明は、請求項４又は請求項５に記載の発明において、前記ハウジングの前記底部における前記電子部品に対応する部分には凹部を形成し、該凹部に前記電子部品を載置した。
【００１０】
請求項７に記載の発明は、請求項４乃至請求項６のうちいずれか１項に記載の発明において、前記ハウジングの内面に設けられた係合部に対して取り付けられた押さえ具を備え、前記押さえ具は、前記電子部品が前記グローブ側へ移動することを抑制するように該電子部品に当接されている。
【００１１】
（作用）
請求項１に記載の発明によれば以下に示す作用を得る。この照明装置は、板型発光体を用いて照明を行うため、例えば円柱状の放電管を用いた照明装置に比して薄型に構成することが可能となる。また、この照明装置は、板型発光体を基準としてハウジングの厚さ方向と直交する方向側に回路ユニットを配置したため、板型発光体を基準としてハウジングの厚さ方向に回路ユニットを配置した照明装置に比して薄型に構成することが可能となる。板型発光体と回路ユニットとを電線を介して電気的に接続したため、ソケットのような高さのある部品を用いる必要がない分、照明装置を薄型に構成することが可能となる。
【００１２】
請求項２に記載の発明によれば、請求項１に記載の発明の作用に加えて以下に示す作用を得る。板型発光体から発せられる熱が貫通孔を介して発散される。
請求項３に記載の発明によれば、請求項２に記載の発明の作用に加えて以下に示す作用を得る。リブにより底部が補強される。
【００１３】
請求項４に記載の発明によれば以下に示す作用を得る。照明装置は、回路基板の挿通孔に電子部品を配置したため、例えば回路基板上に電子部品を搭載した照明装置に比して、回路基板の厚み分だけでも薄型化することができる。
【００１４】
請求項５に記載の発明によれば、請求項４に記載の発明の作用に加えて以下に示す作用を得る。回路基板の挿通孔に電子部品を配置するように構成しているため、厚さ方向におけるグローブの底部からハウジングの底部までの間隔長さに相当する厚さ方向長さを有する電子部品を用いることが可能となる。回路基板の挿通孔に電子部品を配置するように構成しているため、厚さ方向におけるグローブの底部から回路基板までの間隔長さよりも長くなるような厚さ方向長さを有する電子部品を、ハウジングとグローブとがなす空間に好適に配置することが可能となる。
【００１５】
請求項６に記載の発明によれば、請求項４又は請求項５に記載の発明の作用に加えて以下に示す作用を得る。この照明装置は、ハウジングの底部の凹部に電子部品を載置したため、例えば凹部を有さない底部に電子部品を載置した照明装置に比して、凹部の深さ分だけ厚みを薄く構成することが可能となる。
【００１６】
請求項７に記載の発明によれば、請求項４乃至請求項６のうちいずれか１項に記載の発明の作用に加えて以下に示す作用を得る。例えば、ハウジングよりもグローブの方が地面に近くなるようにして照明装置を配置した場合には、電子部品は、その自重によりグローブ側へ移動しようとするが、押さえ具によりグローブ側へ移動することが抑制される。このため、電子部品と回路基板とが互いに相対移動してしまうことを抑制でき、電子部品と回路基板との接続状態を長期に渡り好適に維持することが可能となる。
【発明の効果】
【００１７】
本発明によれば、装置自体を薄型化できる。
【発明を実施するための最良の形態】
【００１８】
以下、本発明を車両用の照明装置に具体化した一実施形態を図１〜図１０に従って説明する。
図１（ａ）は、本実施形態の照明装置１１の正面図であり、図１（ｂ）は、照明装置１１の側面図である。
【００１９】
図２に示すように、照明装置１１は、ハウジング１２、グローブ１３、板型発光体としての平面型放電管１４、押さえ具１５、回路ユニット１６、操作ツマミ１７を備えている。
【００２０】
グローブ１３は、底部１３ａ（図８（ａ）参照）を有すると共に該底部１３ａとは反対側が開口した箱状をなしている。グローブ１３は、四角枠状をなす枠体１８と、その枠体１８の枠内に凹凸の関係で取り付けられた平面視略四角状のレンズ１９とを備えている。枠体１８は、合成樹脂にて形成され、かつ光を通さない材質とされている。レンズ１９は透光性を備えた合成樹脂にて形成されている。
【００２１】
図８（ａ）〜（ｃ）に示すように、レンズ１９の内底面には、複数の四角錐状の窪部１９ａが互いに隙間無く形成されている。この窪部１９ａは、レンズ１９において、平面型放電管１４と対向する部分全体に亘って形成されている。この複数の窪部１９ａが形成されたレンズ１９は、照明装置１１内から照明装置１１外へ向けて透過する光を散乱させる光散乱性を備えている。
【００２２】
図５に示すように、ハウジング１２は、合成樹脂にて形成され、かつ光を通さない材質とされている。ハウジング１２は、平面視略四角状の底部２０と、その底部２０の四辺に一体に形成された側壁２１，２２，２３，２４を備えている。言い換えると、ハウジング１２は、底部２０を有し、底部とは反対側が開口した箱状に形成されている。
【００２３】
図８（ａ），（ｂ）に示すように、ハウジング１２は、グローブ１３に対して凹凸の関係で取り付けられており、この結果、側壁２１〜２４とグローブ１３の四辺とがそれぞれ対応するように突き合わされている。ハウジング１２とグローブ１３とがなす空間内には、平面型放電管１４、押さえ具１５、回路ユニット１６、操作ツマミ１７が配置されている。平面型放電管１４と回路ユニット１６は、図８（ｂ）において左右方向に隣り合うようにして配置されている。即ち、回路ユニット１６は、平面型放電管１４を基準としてハウジング１２の厚さ方向Ｔと直交する方向側に配置されている。
【００２４】
図２に示すように、回路ユニット１６は、回路基板３０、コネクタ３１、スライドスイッチ３２を備えている。コネクタ３１及びスライドスイッチ３２は、回路基板３０のグローブ１３側の面（以下、載置面３０ａという）に搭載されている。
【００２５】
図２〜図４に示すように、コネクタ３１は、電線３３を介して平面型放電管１４と電気的に接続されている。図４に示すように、コネクタ３１には、電線３３の端部３３ａを差し込んで該電線３３との電気的接続を行う接続孔３１ａが複数形成されている。接続孔３１ａは、接続部に相当する。接続孔３１ａには、電線３３の端部３３ａが差し込まれている。
【００２６】
図２に示すように、スライドスイッチ３２は、回路基板３０に固定された本体部３２ａと、本体部３２ａに対してスライド移動可能な可動部３２ｂとを備えている。可動部３２ｂには、操作ツマミ１７が固定されている。操作ツマミ１７は、操作部１７ａを備えている。操作部１７ａは、枠体１８に形成された透孔１８ａを介して照明装置１１外へ露出されており、ユーザによってスライド操作可能とされている。
【００２７】
この回路ユニット１６は、照明装置１１外から供給された電力を、平面型放電管１４へ供給制御するためのものである。照明装置１１は、操作部１７ａの位置（スライド位置）に応じて、平面型放電管１４を点灯させたり消灯させたりするようになっている。また、照明装置１１は、操作部１７ａの位置によっては、車両のドアが開いた際に平面型放電管１４を点灯させ、そのドアが閉じた際に該平面型放電管１４を消灯するようになっている。
【００２８】
平面型放電管１４は、公知の平面型放電管である。その構造を簡単に説明すると、図３に示すように、平面型放電管１４は、第１ガラス基板４０、第２ガラス基板４１、両ガラス基板４０，４１の周縁部に固定されると共に両ガラス基板４０，４１の離間距離を保つためのガラス材４２を備えている。両ガラス基板４０，４１及びガラス材４２にて密閉された空間である放電空間Ｋには、キセノンまたはネオン等の不活性ガスが封入されている。両ガラス基板４０，４１は互いに対向する面に蛍光体膜４３，４４がそれぞれ形成されている。両ガラス基板４０，４１は蛍光体膜４３，４４が形成された面とは反対側の面に透明電極４５，４６がそれぞれ形成されている。透明電極４５，４６の外面には、導電体４７，４８がそれぞれ取り付けられており、その導電体４７，４８の外面には、前記電線３３がそれぞれハンダ付けにより固定されている。また、透明電極４５及び導電体４７の外面には、反射膜４９が形成されている。
【００２９】
このように構成された平面型放電管１４は、回路ユニット１６によって両透明電極４５，４６間に高電圧が印加されると、両透明電極４５，４６間の放電により放電空間Ｋ内にて紫外線を発生する。この紫外線は蛍光体膜４４を透過することにより可視光に変換され、その可視光はガラス基板４１及び透明電極４６を透過することにより照明光となる。また、蛍光体膜４３を透過した紫外線は可視光に変換され、その可視光はガラス基板４０及び透明電極４５を透過する。そして、その可視光は、反射膜４９にて反射され、透明電極４５、ガラス基板４０、蛍光体膜４３、放電空間Ｋ、蛍光体膜４４、ガラス基板４１、透明電極４６を透過して照明光となる。
【００３０】
即ち、平面型放電管１４は、そのグローブ１３側の面（以下、表面１４ａという）が発光し、その底部２０側の面（以下、裏面１４ｂという）が発光しないように構成されている。
【００３１】
次に、ハウジング１２の底部２０に対して平面型放電管１４を固定する構造について説明する。
図８（ａ）に示すように、平面型放電管１４における回路ユニット１６とは反対側の端部は、底部２０の内底面（内面）２０ａから突出するように一体に形成された係止部５１に係止されている。係止部５１は、断面Ｌ字状に形成されている。係止部５１は、内底面２０ａから直角に延びる基端部５１ａと、その基端部５１ａの先端から回路ユニット１６側へ延びる先端部５１ｂとから構成されている。平面型放電管１４の裏面１４ｂが内底面２０ａに当接し、平面型放電管１４の一端部（以下、第１端部ｅ１という）が先端部５１ｂに係止していることにより、該第１端部ｅ１が厚さ方向Ｔにおいて移動不能とされている。
【００３２】
また、図５及び図１０（ｃ）に示すように、底部２０における平面型放電管１４よりも僅かに回路ユニット１６側には、３つの四角状の透孔５２が形成されている。透孔５２は係合部に相当する。
【００３３】
図９（ａ）〜（ｄ）に示すように、押さえ具１５は、長尺な板状の板部５５と、底部２０に形成された３つの透孔５２にそれぞれ対応する３つの係止群５６とを備えている。係止群５６は、一対の係止体５８と、一対の当接片５９とを備えている。各係止体５８及び各当接片５９は、板部５５の底部２０側の面から突出するように一体に形成されている。係止体５８の板部５５からの突出長さは、当接片５９の板部５５からの突出長さより長くなるように形成されている。係止体５８は、その先端に係止爪５８ａを備えている。
【００３４】
ここで一つの係止群５６に注目してみると、図１０（ｃ）に示すように、一対の係止体５８の先端側は、透孔５２を挿通するように配置されている。その一対の係止体５８の両係止爪５８ａは、底部２０の外底面２０ｂに係止し、図８（ｂ）に示すように、一対の当接片５９の先端面５９ａは、底部２０の内底面２０ａに当接している。また、一対の係止体５８のうち一方が透孔５２内の４つの隅部のうち２つの隅部と当接しており、もう一方の係止体５８が透孔５２内の残りの２つの隅部と当接している。他の係止群５６も、対応する透孔５２の位置において底部２０に対して同様の取り付け関係とされている。この結果、押さえ具１５は、ハウジング１２に対して相対移動不能とされている。
【００３５】
板部５５の底部２０側の面は、当接面５５ａとされている。各係止群５６がそれぞれ対応する透孔５２に装着されている際に、当接面５５ａは、平面型放電管１４の第１端部ｅ１とは反対側の端部（以下、第２端部ｅ２という）の表面１４ａに当接されている。平面型放電管１４の裏面１４ｂが内底面２０ａに当接し、第２端部ｅ２が当接面５５ａに当接していることにより、該第２端部ｅ２が厚さ方向Ｔにおいて移動不能とされている。
【００３６】
また、平面型放電管１４は、係止部５１と各係止体５８（図９参照）とに挟まれていることにより、前後方向ｆ（図８（ｂ）における左右方向）へ移動不能とされている。
図８（ａ）に示すように、底部２０における平面型放電管１４と対向する部分は、他の底部２０よりもグローブ１３側に位置するように形成されている。図５〜図７に示すように、底部２０には、平面型放電管１４と対向する部分に複数の貫通孔６１が形成されている。各貫通孔６１は、四角形状をなしている。複数の貫通孔６１は、底部２０に対して行列（マトリックス）状態となるように形成されている。この貫通孔６１を介して平面型放電管１４から発せられる熱が発散される。図６及び図７に示すように、本実施形態では、底部２０に対して各貫通孔６１が形成されていることにより、格子状の格子部６２が形成されている。底部２０における外底面２０ｂには、貫通孔６１の周縁にリブ６３が形成されている。詳述すると、格子部６２の外底面６２ａには、格子状（井桁状）のリブ６３が形成されている。
【００３７】
図８（ａ）に示すように、このリブ６３の先端面は、底部２０における平面型放電管１４と対向する部分以外の部分の外底面２０ｂと面一となるように形成されている。
前記回路ユニット１６の前記回路基板３０は、平面型放電管１４の側方において、底部２０の内底面２０ａに当接するように、かつ底部２０に対して移動不能に固定されている。回路基板３０には、四角形状の挿通孔６５が形成されている。一方、底部２０の内底面２０ａ側には、その挿通孔６５と対応する位置部分が凹状に凹んだ凹部２０ｃが形成されている。
【００３８】
挿通孔６５内には、回路ユニット１６の一部を構成するトランス６６が配置されている。トランス６６は電子部品に相当する。トランス６６の厚さ方向Ｔの長さ（厚み）は、回路基板３０に搭載されているコネクタ３１及びスライドスイッチ３２等の厚さ方向Ｔ長さ（厚み）よりも長く形成されている。トランス６６の厚さ方向Ｔの長さ（厚み）は、厚さ方向Ｔにおけるグローブ１３の底部１３ａからハウジング１２の底部２０（凹部２０ｃ）までの間隔長さ以下に構成されている。さらには、トランス６６の厚さ方向Ｔの長さ（厚み）は、厚さ方向Ｔにおけるグローブ１３の底部１３ａから回路基板３０までの間隔長さよりも長くなるように構成されている。
【００３９】
図１０（ａ）〜（ｃ）に示すように、トランス６６は、本体部６７と、本体部６７から突出した複数の端子６８と、本体部６７から突出するように一体に形成された一対の鍔部６９とを備えている。本体部６７の底面６７ａ（図１０（ｃ）参照）は、凹部２０ｃに載置されている。各端子６８は、ハンダ付けにより回路基板３０の載置面３０ａに固定されている。両鍔部６９は、載置面３０ａ上に配置されている。
【００４０】
図１０（ｃ）に示すように、前記押さえ具１５には、板部５５に一体に形成された当接部７０を備えている。当接部７０は、板部５５から底部２０（回路基板３０が配置されている底部２０部分）へ向けて延びるように形成されている。当接部７０は、鍔部６９に当接されている。当接部７０は、底部２０と協働して、厚さ方向Ｔにおいて鍔部６９及び回路基板３０を挟みつけるように構成されている。
【００４１】
従って、本実施形態によれば、以下のような作用・効果を得ることができる。
（１）この照明装置１１は、平面型放電管１４を用いて照明を行うため、例えば円柱状の放電管を用いた照明装置に比して薄型に構成することができる。また、この照明装置１１は、平面型放電管１４を基準として厚さ方向Ｔと直交する方向側に回路ユニット１６を配置したため、平面型放電管１４を基準として厚さ方向Ｔに回路ユニット１６を配置した照明装置に比して薄型に構成することができる。平面型放電管１４と回路ユニット１６とを電線３３を介して電気的に接続したため、ソケットのような高さのある部品を用いる必要がない分、照明装置１１を薄型に構成することができる。
【００４２】
（２）ハウジング１２の底部２０における平面型放電管１４に対応する部分には複数の貫通孔６１を形成した。よって、平面型放電管１４から発せられる熱が貫通孔６１を介して発散させることができる。
【００４３】
（３）底部２０における貫通孔６１の周縁には、外底面２０ｂから突出するリブ６３を形成した。よって、このリブ６３により底部２０を補強することができる。特に、本実施形態では、リブ６３を格子状（井桁状）としたため、ハウジング１２の長辺が湾曲するように底部２０が撓もうとしても、さらには、ハウジング１２の短辺が湾曲するように底部２０が撓もうとしても、リブ６３によりその撓みを抑制することができる。
【００４４】
（４）照明装置１１は、回路基板３０の挿通孔６５にトランス６６を配置したため、例えば回路基板３０の載置面３０ａにトランス６６を搭載した照明装置に比して、回路基板３０の厚み分だけでも薄型化することができる。よって、照明装置１１を薄型に構成することができる。
【００４５】
（５）回路基板３０の挿通孔６５にトランス６６を配置するように構成しているため、厚さ方向Ｔにおけるグローブ１３の底部１３ａからハウジング１２の底部２０（凹部２０ｃ）までの間隔長さに相当する厚さ方向Ｔ長さを有するトランス６６を用いることができる。回路基板３０の挿通孔６５にトランス６６を配置するように構成しているため、厚さ方向Ｔにおけるグローブ１３の底部１３ａから回路基板３０までの間隔長さよりも長くなるような厚さ方向Ｔ長さを有するトランス６６を、ハウジング１２とグローブ１３とがなす空間に好適に配置することができる。
【００４６】
（６）この照明装置１１は、底部２０の凹部２０ｃにトランス６６を載置したため、例えば凹部２０ｃを有さない底部２０にトランス６６を載置した照明装置に比して、凹部２０ｃの深さ分だけ厚みを薄く構成することができる。ちなみに、図８（ｂ）に示すように、トランス６６と枠体１８との間に若干の空間を設けてあるが、この理由は、トランス６６が発熱するため、その熱が枠体１８に伝達することを抑制するためである。
【００４７】
（７）押さえ具１５の当接部７０は、トランス６６がグローブ１３側へ移動することを抑制するようにトランス６６の鍔部６９に当接するように構成した。そのため、例えば、ハウジング１２よりもグローブ１３の方が地面に近くなるようにして照明装置１１を配置した場合、即ち、車両内の天井に底部２０の外底面２０ｂを当接させて固定した場合には、次に示すような現象が起こる。トランス６６と回路基板３０との固定関係は、トランス６６の端子６８が回路基板３０の載置面３０ａに対してハンダ付けにより固定されているだけである。即ち、トランス６６の本体部６７及び鍔部６９は、端子６８を介して回路基板３０に固定されているだけである。
【００４８】
そのため、本体部６７及び鍔部６９が、その自重により端子６８を変形させながらグローブ１３側へ移動しようとする。しかしながら、鍔部６９が押さえ具１５の当接部７０に当接していることにより、本体部６７及び鍔部６９がグローブ１３側へ移動することが抑制される。よって、トランス６６と回路基板３０とが互いに相対移動してしまうことを抑制でき、トランス６６と回路基板３０との接続状態を長期に渡り好適に維持することができる。
【００４９】
（８）回路ユニット１６には、コネクタ３１を備えている。コネクタ３１には、電線３３の端部３３ａを差し込んで該電線３３との電気的接続を行う接続孔３１ａが形成されている。このため、電線３３と回路ユニット１６との接続は、電線３３の端部３３ａをコネクタ３１の接続孔３１ａに差し込むだけで済む。よって、照明装置１１の組み付け作業性を向上させることができる。
【００５０】
（９）押さえ具１５は、底部２０と協働して平面型放電管１４の第２端部ｅ２を挟みつけるようにし、さらには、底部２０と協働してトランス６６の鍔部６９及び回路基板３０とを挟みつけるようにした。このように、押さえ具１５は、平面型放電管１４の押さえ具と、トランス６６の押さえ部との両方の機能を備えている。よって、照明装置１１は、平面型放電管１４のみを押さえる押さえ具と、トランス６６のみを押さえる押さえ具とを個別に構成した場合に比して、部品点数を削減することができ、製造コストを削減できる。
【００５１】
なお、前記実施形態は、以下の態様に変更してもよい。
・前記実施形態では、回路ユニット１６はコネクタ３１を備えていたが、このコネクタ３１を省略してもよい。この場合、回路ユニット１６に電線３３の端部３３ａをハンダ付けにより固定することにより、回路ユニット１６と電線３３との電気的接続を行うように構成する。
【００５２】
・前記実施形態では、押さえ具１５は、当接部７０を備えていたいが、省略してもよい。即ち、押さえ具１５によりトランス６６を押さえなくともよい。また、押さえ具１５から当接部７０を省略する場合には、照明装置１１は、トランス６６の鍔部６９に当接し、本体部６７及び鍔部６９がグローブ１３側へ移動するための部材を設けてもよい。この部材は、押さえ具１５とは各別に形成されている。
【００５３】
・前記実施形態では、底部２０の凹部２０ｃを形成し、その凹部２０ｃにトランス６６を載置していた。これに限らず、底部２０の凹部２０ｃを省略し、トランス６６を底部２０の内底面２０ａに載置するように照明装置を構成してもよい。この場合、照明装置の厚みは、凹部２０ｃの深さ分だけ厚く構成する。
【００５４】
・前記実施形態では、底部２０には、リブ６３を形成していたが、そのリブ６３を省略してもよい。
・前記実施形態では、平面型放電管１４に対向した底部２０の貫通孔６１の周縁には、外底面２０ｂから突出するリブ６３を形成していた。これに限らず、平面型放電管１４に対向した底部２０を、他の底部２０と面一になるように形成し、その平面型放電管１４に対向した底部２０の内底面２０ａからリブ６３を突出するように形成してもよい。この場合、内底面２０ａから突出したリブ６３の先端面が平面型放電管１４の裏面１４ｂに当接するように構成する。
【００５５】
・前記実施形態では、底部２０に貫通孔６１を形成していたが、その貫通孔６１を省略してもよい。
・前記実施形態では、回路基板３０の挿通孔６５にトランス６６を配置していた。これに限らず、回路基板３０の挿通孔６５に他の電子部品を配置するようにしてもよい。ここでいう、他の電子部品とは、回路ユニット１６を構成する電子部品のことをいう。そのため、コネクタ３１及びスライドスイッチ３２も電子部品に相当する。
【００５６】
・前記実施形態では、平面型放電管１４を用いて照明装置１１を構成していた。これに限らず、有機ＥＬ(electro-luminescence)製の板型発光体を用いて照明装置１１を構成してもよい。
【００５７】
・前記実施形態では、照明装置１１を、車両用の照明装置として具体化していたが、これに限らず、建物の屋内用照明装置または屋外用照明装置、街路用照明装置、卓上照明装置、照明看板等に具体化してもよい。
【００５８】
次に、上記実施形態及びその態様の変更から把握できる技術的思想について以下に追記する。
（イ）前記回路ユニットには、前記電線の端部を差し込んで該電線との電気的接続を行う接続部を有するコネクタを備えていることを特徴とする請求項１乃至請求項３のうちいずれか１項に記載の照明装置。このように構成すると、電線と回路ユニットとの接続は、電線の端部をコネクタの接続部に差し込むだけで済む。そのため、照明装置の組み付け作業性を向上させることが可能となる。
【００５９】
（ロ）前記電子部品には端子を備え、前記端子は、ハンダ付けにより前記回路基板に接続されていることを特徴とする請求項４乃至請求項７のうちいずれか１項に記載の照明装置。
【図面の簡単な説明】
【００６０】
【図１】（ａ）は、本実施形態の照明装置の正面図。（ｂ）は、本実施形態の照明装置の側面図。
【図２】本実施形態の照明装置の分解斜視図。
【図３】本実施形態の平面型放電管の原理を示す概略説明図。
【図４】本実施形態のコネクタの斜視図。
【図５】本実施形態のハウジングの内底面側を示す斜視図。
【図６】本実施形態のハウジングの外底面側を示す斜視図。
【図７】本実施形態のハウジングの底面図。
【図８】（ａ）は、図１（ａ）のＡ−Ａ線矢視断面図。（ｂ）は、図１（ａ）のＢ−Ｂ線矢視断面図。（ｃ）は、レンズの内底面に形成された複数の四角錐状の窪部を示す部分拡大図。
【図９】（ａ）は、押さえ具の平面図。（ｂ）は、押さえ具の正面図。（ｃ）は、押さえ具の底面図。（ｄ）は、押さえ具の側面図。
【図１０】（ａ）は、トランスと該トランスに隣接した部品との配置関係を示す平面図。（ｂ）は、トランスと該トランスに隣接した部品との配置関係を示す正面図。（ｃ）は、トランスと該トランスに隣接した部品との配置関係を示す側面図。
【符号の説明】
【００６１】
１１…照明装置、１２…ハウジング、１３…グローブ、１３ａ…グローブの底部、１４…板型発光体としての平面型放電管、１５…押さえ具、１６…回路ユニット、２０ａ…内面としての内底面、２０ｃ…凹部、２０…ハウジングの底部、３０…回路基板、３３…電線、５１…係止部、５２…係合部としての透孔、６１…貫通孔、６３…リブ、６５…挿通孔、６６…電子部品としてのトランス、Ｔ…厚さ方向。
【図１】
2006114391.tif 000003
【図２】
2006114391.tif 000004
【図３】
2006114391.tif 000005
【図４】
2006114391.tif 000006
【図５】
2006114391.tif 000007
【図６】
2006114391.tif 000008
【図７】
2006114391.tif 000009
【図８】
2006114391.tif 000010
【図９】
2006114391.tif 000011
【図１０】
2006114391.tif 000012